(57)【要約】      （修正有）【課題】耐久性が高く、健康増進作用を有するクッションを提供する。【解決手段】天然ゴム製のバランスクッション１であって、空気の封入又は排出が可能であって、気密性を有し、空気を封入した無負荷状態における載置箇所との接面が、空気を排出した状態の前記接面に比べて小さい、略矩形型の袋体１１と、袋体１１の少なくとも１辺に設けられたフランジ１２と、を有することを特徴とする。フランジ１２は、袋体１１の少なくとも一辺に設けられた、つば状の部材である。【選択図】図１
0003204734.tif 000002
【実用新案登録請求の範囲】
【請求項１】
空気の封入又は排出が可能であって、気密性を有し、空気を封入した無負荷状態における載置箇所との接面が、空気を排出した状態の前記接面に比べて小さい、略矩形型の袋体と、
前記袋体の少なくとも１辺に設けられたフランジと、を有することを特徴とする、天然ゴム製のバランスクッション。
【請求項２】
請求項１に記載のバランスクッションであって、
テラヘルツ鉱石、トルマリン鉱石、又はブラックシリカ鉱石の粉末と、ラジウムを含む湯の花の精製物との少なくともいずれか１つを混入させた天然ゴムを用いて形成されることを特徴とするバランスクッション。
【請求項３】
請求項１又は２に記載のバランスクッションであって、
テラヘルツ鉱石、トルマリン鉱石、又はブラックシリカ鉱石の粉末と、ラジウムを含む湯の花の精製物との少なくともいずれかを付着させた部材を有することを特徴とするバランスクッション。
【請求項４】
請求項１から３のいずれか一項に記載のバランスクッションであって、
前記袋体は、一辺が４０ｃｍ以上６０以下の略矩形であることを特徴とするバランスクッション。
【考案の詳細な説明】
【技術分野】
【０００１】
本考案は、バランスクッションに関する。
【背景技術】
【０００２】
現在、空気を内包させて使用可能なクッションが普及している。
【０００３】
特許文献１には、「球又は楕円球を二つ割りにしたような、弾性部材により形成された２個の半球体からなる運動補助具であって、前記各半球体は、平坦面を形成する肉厚円盤状のベース部と、半球面を形成する半球体部とが一体成形された本体の内部に空気を注入して成り、前記ベース部は、空気を充満させるとその内圧によって、平坦面が外側に若干湾曲可能な厚さに形成され、内部に空気を充満させた状態で前記ベース部を下側にして床面に設置すると、平坦面の湾曲部の付近が床面と接触し、平坦面の周縁部と床面との間に、高さ方向の間隙が生じるように形成されているとともに、前記間隙は、前記ベース部の直径寸法に対して最大１〜５パーセントの範囲となるように設定されていることを特徴とする」運動補助具が開示されている。
【先行技術文献】
【特許文献】
【０００４】
【特許文献１】特開２０１３−４２８３１号
【考案の開示】
【考案が解決しようとする課題】
【０００５】
バランス感覚を養うクッションを日常的に用いることにより、体幹が鍛えられ、健康増進が期待しうる。このようなバランスクッションを使用する際には、クッションに荷重をかけ、重心の位置を調整する動作を行うことが一般的である。そのため、バランスクッションは、荷重により破損しないよう、耐久性のあることが望まれる。特許文献１に記載の運動補助具は、ＰＶＣ（ポリ塩化ビニル）により形成されるが、耐摩耗性が高いとは言い難い。また、処分する際に環境に与える影響も問題視されている。
【０００６】
本考案は、上記の点に鑑みてなされたものであって、耐久性が高く、健康増進作用を有するクッションを提供するものである。
【課題を解決するための手段】
【０００７】
上記課題を解決するために、本考案の一態様に係るバランスクッションは、天然ゴム製であって、空気の封入又は排出が可能であって、気密性を有し、空気を封入した無負荷状態における載置箇所との接面が、空気を排出した状態の前記接面に比べて小さい、略矩形型の袋体と、
前記袋体の少なくとも１辺に設けられたフランジと、を有することを特徴とする。
【０００８】
また、本考案のバランスクッションは、テラヘルツ鉱石、トルマリン鉱石、又はブラックシリカ鉱石の粉末と、ラジウムを含む湯の花の精製物との少なくともいずれか１つを混入させた天然ゴムを用いて形成されることを特徴としてもよい。
【０００９】
また、本考案のバランスクッションは、テラヘルツ鉱石、トルマリン鉱石、又はブラックシリカ鉱石の粉末と、ラジウムを含む湯の花の精製物との少なくともいずれかを付着させた部材を有することを特徴としてもよい。
【００１０】
また、本考案の前記袋体は、一辺が４０ｃｍ以上６０ｃｍ以下の略矩形であることを特徴としてもよい。
【考案の効果】
【００１１】
本考案によれば耐久性が高く、健康増進作用を有するクッションを提供することができる。
【図面の簡単な説明】
【００１２】
【図１】バランスクッションの外観を示す図（その１）である。
【図２】バランスクッションの外観を示す図（その２）である。
【図３】第１の変形例におけるバランスクッションの外観を示す図である。
【図４】第２の変形例におけるバランスクッションの外観を示す図である。
【考案を実施するための形態】
【００１３】
以下、図面に基づいて本考案の実施の形態を説明する。図１は、バランスクッション１の外観を示す図（その１）である。図１（Ａ）は、空気を封入しない状態のバランスクッション１の斜視図であって、図１（Ｂ）は空気を封入した無負荷時のバランスクッション１の側面図である。以下の図において、バランスクッション１を床面又は椅子の上などの載置面に平置きにした場合に、重力方向を−ｚ方向、重力に反する方向を＋ｚ方向とする。バランスクッション１は、例えば＋ｚ方向から腰掛けるか、又は上に立って使用する。
【００１４】
バランスクッション１は、袋体１１と、フランジ１２と、逆止弁１３と、を有する。袋体１１は、天然ゴム製であって、フランジ１２と一体で成形される。袋体１１は、空気の封入又は排出が可能な袋状の部材であって、気密性を有し、空気を封入した無負荷状態における載置箇所との接面が、空気を排出した状態の該接面に比べて小さい。
【００１５】
天然ゴムは、耐摩耗性等、力学的な強度が高い。そのため、袋体１１及びフランジ１２を天然ゴムにより形成することにより、耐久性に優れたバランスクッション１を生成することができる。また、ＰＶＣ等の合成素材と比較して、天然ゴムは生分解性に優れ、処分時に環境に及ぼす影響が少ない。
【００１６】
フランジ１２は、袋体１１の少なくとも一辺に設けられた、つば状の部材である。袋の形状に成形した天然ゴムの開口部を加圧することにより、フランジ１２が形成される。フランジ１２を形成することにより、素材の接合部分の強度が増す。
【００１７】
逆止弁１３は、袋体１１内部に空気を注入するために設けられた空気孔であって、内包した空気が袋体１１外部へと逆流することを防ぐ弁である。逆止弁１３は、例えばステンレス等の金属製であって、図示しない空気ポンプを用いることにより、中央のへそ部から空気を送り込む。なお、逆止弁１３に口をつけて呼気を送り込むことにより、空気を注入してもよい。
【００１８】
また、逆止弁１３は、へそ部に突起を差し込むか、又はへそ部周囲の可動部をひねる等の動作で可動させることにより、内部の空気を外部へと排出させることができる。
【００１９】
袋体１１及びフランジ１２は、テラヘルツ鉱石、トルマリン鉱石、又はブラックシリカ鉱石の粉末と、ラジウムを含む湯の花の生成物との少なくともいずれか１つを混入させた天然ゴムを用いて形成される。
【００２０】
テラヘルツ鉱石は、高純度のシリコン（珪素）である。例えば、石英から酸素を除去することにより、高純度のシリコンであるテラヘルツ鉱石を得る。テラヘルツ鉱石は、例えば加熱等の刺激により励起し、テラヘルツ波を発生させると考えられている。テラヘルツ波は、周波数１００ＧＨｚ〜１０ＴＨｚの電磁波であり、周波数が光波と電波との中間領域に該当する。テラヘルツ波を照射することにより、細胞の振動エネルギーが高まり、生命活動が活発化し自然治癒力が向上すると考えられている。
【００２１】
また、トルマリン鉱石は、トルマリンを含む鉱物であって、圧電効果を有しており、マイナスイオンを発生させると考えられている。ブラックシリカ鉱石は、ブラックシリカ（黒鉛珪素）を含む鉱物であって、遠赤外線を放出することにより細胞の活性化を促す効果が期待されている。
【００２２】
ラジウムは、ラジウム放射線を放射する元素であり、生物活性を刺激したり、高線量の放射線の照射に対する抵抗性をもたらしたりする放射線ホルミシス効果を有するものとして注目されている。放射線ホルミシス効果により、体内に活性酸素が発生し、免疫の活性反応を進行させると考えられている。
【００２３】
このようなラジウムを有する天然鉱物として、一般的に北投石が知られているが、北投石は世界で台湾台北州と秋田県の玉川温泉の２か所でしか産出されないため、日本では特別天然記念物に指定されている。現在、日本では北投石の採取は禁止されている。
【００２４】
本実施形態では、玉川温泉で産出される湯の花を、酸、硫黄、重金属等の有害物質を除去することにより精製し、精製物を得る。玉川温泉の温泉水は、ＰＨ１．１〜１．２の強酸性泉（硫化水素含有塩酸性緑ばん泉）であって、北投石とほぼ同程度のラジウム放射線を放射することに着目し、玉川温泉で採取される湯の花を精製することで人工北投石ともいえる精製物を作製した。つまり、湯の花の精製物を混入させたバランスクッション１を用いることで、ラジウム放射線がもたらす健康増進効果が期待できる。
【００２５】
また、精製物が放出するラジウムが壊変することにより、ラドンを含む不活性ガスが発生する。ラドンガスは、皮膚組織や神経系等を刺激することにより、ラジウム同様に放射線ホルミシス効果を有すると考えられる。従って、玉川温泉の湯の花の精製物を混入させたバランスクッション１を用いることで、皮膚細胞や体内組織が活性化し、健康を増進させることができる。
【００２６】
なお、精製物によるラジウム放射量は、毎分１２００ＣＰＭカウント以上であることが望ましい。ラジウム放射量が毎分１２００ＣＰＭカウント以上あれば、一般的に医療用として充分な効果が期待できるとされているためである。また、ラジウム放射量が多すぎると刺激が強すぎる恐れがあるため、毎分１２００ＣＰＭ〜１６００ＣＰＭカウントの範囲内で放射されることがさらに望ましい。
【００２７】
以上のように、バランスクッション１に混入させる湯の花は、玉川温泉で産出されたものが望ましい。しかしながら、本実施形態において用いる湯の花は、玉川温泉で産出されたものに限定されない。また、湯の花の精製方法については限定されない。例えば、採取した湯の花を焼成することにより、不純物を除去して精製を行ってもよい。
【００２８】
図２は、バランスクッション１の外観を示す図（その２）である。図２（Ａ）は、空気を封入しない状態のバランスクッション１の平面図であって、図２（Ｂ）は空気を封入しない状態のバランスクッション１の側面図である。
【００２９】
空気を排出した状態の袋体１１の一辺ｔ１は、望ましくは４０ｃｍ以上６０ｃｍ以下である。より望ましくは、４７ｃｍ以上５３ｃｍ以下である。図２に示す袋体を構成する一辺のうち、逆止弁１３を有する辺についても同様である。また、フランジ１２を構成する四辺のうち、袋体１１と接する辺を長辺とすると、短辺ｔ２は３ｃｍ以上９ｃｍ以下が望ましい。より望ましくは、３．５ｃｍ以上７．５ｃｍ以下である。
【００３０】
なお、図２では、袋体１１の＋ｙ方向の一辺にフランジ１２が形成され、対向する−ｙ方向に逆止弁１３が形成されている。フランジ１２と逆止弁１３との位置関係については、これに限定されない。また、逆止弁１３は袋体１１の一辺のほぼ中央に形成されているが、逆止弁１３の位置についても、これに限定されない。
【００３１】
バランスクッション１の使用方法は、例えば逆止弁１３から袋体１１に対して空気を送り込み、膨らませたバランスクッション１を床面等に載置し、重力方向から荷重をかける。使用者は、バランスを取るために重心の位置を調整する。
【００３２】
本実施形態におけるバランスクッション１は、天然ゴム製であって、空気の封入又は排出が可能であって、気密性を有し、空気を封入した無負荷状態における載置箇所との接面が、空気を排出した状態の前記接面に比べて小さい、略矩形型の袋体と、前記袋体の少なくとも１辺に設けられたフランジと、を有する。上述のような使用方法でバランスクッション１を使用することにより、体幹を鍛えることができる。通常、体幹を構成する筋肉は鍛えることが難しいと云われる。体幹を鍛錬すると、腰椎が安定し、腰痛や肩こりの改善が期待できる。また、体幹を鍛えることにより、基礎代謝が上がり、健康増進効果が期待できる。
【００３３】
また、テラヘルツ鉱石、トルマリン鉱石、又はブラックシリカ鉱石の粉末と、ラジウムを含む湯の花の生成物の少なくともいずれか１つを混入させることにより、使用するにつれ皮膚細胞や体内組織が活性化し、免疫力の向上、健康維持に寄与すると考えられる。
【００３４】
また、天然ゴムを用いて袋体１１を形成することにより、耐久性が向上する。また、フランジ１２を設けることにより、袋体１１の接合部分の強度が増すため、使用時の安全性が向上する。
【００３５】
＜第１の変形例＞
【００３６】
次に、バランスクッション１の第１の変形例について説明する。上述の実施形態では、テラヘルツ鉱石、トルマリン鉱石、又はブラックシリカ鉱石の粉末と、ラジウムを含む湯の花の生成物との少なくともいずれか１つを混入させた天然ゴムを用いてバランスクッション１を形成した。本実施形態では、これらのうち少なくともいずれか１つを混入させた部材１４を袋体１１に着脱可能に係止させる。以下、上述の実施形態と異なる点について説明する。
【００３７】
図３は、第１の変形例におけるバランスクッション１の外観を示す図である。第１の変形例のバランスクッション１は、部材１４を有する。部材１４は、パッド１５と、弾性のあるベルト１６とを有する。ベルト１６に袋体１１を通すことにより、パッド１５が袋体１１の座面に着脱可能に係止される。ベルト１６は、例えば幅のある平面状の部材であって、天然ゴムやポリウレタンなどのゴム糸を核にして生成される。
【００３８】
パッド１５は、テラヘルツ鉱石、トルマリン鉱石、又はブラックシリカ鉱石の粉末と、ラジウムを含む湯の花の生成物との少なくともいずれか１つを付着させた平面状の部材である。パッド１５は、略矩形又は略円形の布製の部材であって、例えば綿、麻、羊毛等の天然繊維、又はポリエステル、ナイロン等の合成繊維を、単独又は混合して形成している。
【００３９】
パッド１５は、少なくとも一方の面に、略円形状である円領域を複数有しており、円領域はパターンを形成するように配列している。例えば、円領域は格子の交点に配置されるよう配列している。円領域は、テラヘルツ鉱石、トルマリン鉱石、又はブラックシリカ鉱石の粉末と、ラジウムを含む湯の花の精製物との少なくともいずれか１つを所定のパターンで付着させた領域である。
【００４０】
なお、円領域に対する精製物の付加方法については、特に限定されない。例えば、精製物を含有させたインクをシルクスクリーン印刷を用いてパッド１５に印刷することにより、精製物を円領域に付着させる。また、パッド１５に対する付着物の付着パターンも、上述の例に限定されない。例えば、パッド１５の一面全体に付着させてもよい。
【００４１】
付言すれば、図３は、１本のベルト１６によりパッド１５を袋体１１に係止している状態を示しているが、パッド１５に接続されるベルト１６は１本に限られない。また、パッド１５の係止方法についても、図３に示す例に限定されない。例えば、袋体１１にベルト１６係止用のフック状の部材を設け、該部材にベルト１６を係止させてもよい。また例えば、パッド１５を帯状に形成し、両端を接続させることによって袋体１１を囲むように係止されてもよい。また例えば、パッド１５を袋状に形成し、袋体１１をパッド１５の中に収めて使用するものであってもよい。
【００４２】
本変形例における袋体１１は、天然ゴムにより形成される。しかしながら、上述の実施形態と同様に、テラヘルツ鉱石、トルマリン鉱石、又はブラックシリカ鉱石の粉末と、ラジウムを含む湯の花の生成物との少なくともいずれか１つを混入させた天然ゴムにより形成されてもよい。
【００４３】
本変形例により、バランスクッション１を使用する者は、テラヘルツ鉱石、トルマリン鉱石、又はブラックシリカ鉱石、又はラジウムを含む湯の花の生成物の及ぼす健康増進効果を享受しうる。また、部材１４は必要に応じて簡単に取り外すことができる。
【００４４】
＜第２の変形例＞
【００４５】
次に、バランスクッションの第２の変形例について説明する。第２の変形例におけるバランスクッション１は、部材１７を有する。
【００４６】
図４は、第２の変形例におけるバランスクッション１の外観を示す図である。図４に示すバランスクッション１には、２本の部材１７が係止されている。部材１７の数については、これに限定されない。部材１７は、弾性部材からなり、幅のある平面状の部材であって、天然ゴムやポリウレタンなどのゴム糸を核にして生成される。
【００４７】
第１の変形例と同様に、部材１７は、少なくとも一方の面に、略円形状である円領域を複数有しており、円領域はパターンを形成するように配列している。円領域には、テラヘルツ鉱石、トルマリン鉱石、又はブラックシリカ鉱石の粉末と、ラジウムを含む湯の花の生成物との少なくともいずれか１つが付着している。
【００４８】
なお、部材１７への付着物の付着方法、及び付着パターンについて、図４に示すものに限定されない点は、第１の変形例と同様である。また、袋体１１は天然ゴムで形成されるが、テラヘルツ鉱石、トルマリン鉱石、又はブラックシリカ鉱石の粉末と、ラジウムを含む湯の花の生成物との少なくともいずれか１つを混入させた天然ゴムを用いて形成されても良い点も、第１の変形例と同様である。
【００４９】
本変形例により、袋体１１の形状に基づいて体幹を鍛錬することができるだけでなく、係止部材１６の付着物の作用により体表面及び内部からの健康増進機能を期待できる。また、不要な場合には取り外して使用することができ、機能性に優れている。
【００５０】
以上、各実施形態に基づき本考案の説明を行ってきたが、上記実施形態に示した要件に本考案が限定されるものではない。上記実施形態に示した要件に関しては、本考案の主旨をそこなわない範囲で変更することができ、その応用形態に応じて適切に定めることができる。
【００５１】
また、各実施形態は、それぞれの特徴を組み合わせることができる。上述のいずれかのバランスクッション１が、他の実施形態の特徴を併せ持つものであってもよい。
【符号の説明】
【００５２】
１：バランスクッション、１１：袋体、１２：フランジ、１３：逆止弁、１４・１７：部材、１５：パッド、１６：ベルト
【図１】
0003204734.tif 000003
【図２】
0003204734.tif 000004
【図３】
0003204734.tif 000005
【図４】
0003204734.tif 000006